(57)【特許請求の範囲】
【請求項１】
電力系統における電力機器設備の監視を行う監視制御装置であって、この監視制御装置において制御卓のＣＲＴ画面より制御対象機器を選択し、選択情報を遠方監視制御装置に伝送し、遠方監視装置により選択制御を実行する集中型監視制御システムにおいて、
監視制御装置に、
ＣＲＴ画面上で制御対象機器を制御順に選択し、その選択情報を蓄積する被制御機器選択装置と、
制御操作信号の入力により前記複数機器選択の蓄積情報を選択順に遠方監視装置に一括伝送する制御操作部を設け、
前記制御対象機器のうちの複数機器の選択情報を蓄積して一気に選択制御信号の伝送を実行すると共に、
前記遠方監視制御装置は、伝送された複数機器選択の蓄積情報を解読して単一機器の項目に分離し、一機器毎に自動で選択制御を実行することを特徴とする監視制御システムにおける複数機器の蓄積制御方式。
【請求項２】
前記監視制御装置に選択解除スイッチを設け、この選択制御スイッチの信号を前記電気機器選択装置と制御操作部に出力して蓄積制御を解除することを特徴とした請求項１記載の監視制御システムにおける複数機器の蓄積制御方式。
【発明の詳細な説明】
【０００１】
【発明の属する技術分野】
本発明は、被制御所に遠方監視制御装置を使用した、送配電における電力系統の電力機器設備の監視を行うＣＲＴ装置をもった集中型監視制御装置に係わり、特に集中型監視制御装置における複数機器の選択情報を蓄積し一気に遠方監視制御装置に伝送して機器を選択制御をする、監視制御システムにおける複数機器の蓄積制御方式に関する。
【０００２】
【従来の技術】
それぞれ複数機器の監視制御を実行するための複数の制御局を有する遠方監視制御装置を監視制御装置によって監視制御する集中型監視制御システムについては、（株）明電舎発行（平成６年９月１６日）の「明電時報」通巻２３７、１９９４，No.４、ｐ．６４〜６７（文献１）において知られており、特にこの文献１の第１図において装置構成図が、また、監視制御装置である親局装置のマンマシンにＣＲＴを採用し、スケルトン画面による監視，制御，状変内容のメッセージ表示を行うとともに、遠方監視制御装置である子局装置への情報要求機能やＤＬＬ（Down Line Loading）機能が設けられること、及びこれら各種情報伝送にＨＤＬＣ（High level Data Link Control）方式にて実行すること等が知られている。
また、文献１の第２表では、親局装置（監視制御装置）の機器制御項目には、操作機能としてスタイラスペンによる機能選択やマスターコントロールスイッチによる制御の各機能を備えていることが記載されており、集中型監視制御装置においては、監視制御装置における制御卓のＣＲＴ画面から制御対象機器を選択し、その選択コードを遠方監視制御装置に伝送し、遠方監視制御装置はその選択コードを受けて制御対象機器の制御を実行するように構成されている。
【０００３】
従来の監視制御システムにおける選択制御は、（社）電気協同研究会発行（平成３年９月）の「電気協同研究」第４７巻、第２号（文献２）のような手法によって行っている。すなわち、文献２のｐ．４５〜４７の伝送シーケンスの項目における（ｅ）選択制御伝送の項には、選択制御のシーケンスが記載されており、それによると次のような手順で被制御対象機器を選択制御している。
【０００４】
１）監視制御装置のＣＲＴ画面より当該１機器をポインティングデバイスにより選択制御している。
２）遠方監視制御装置は、監視制御装置からの選択コードを認識し、ハードシーケンスにてポジションリレーを選択し、間違いがなければ「選択完了」信号を監視装置に返送する。
３）監視制御装置は遠方監視制御装置からの「選択完了」を受信した後、「入り」又は「切り」の制御を実行する。
４）監視制御装置からの制御コードを受信し、制御リレーを動作させ、機器への実制御を実行する。
５）遠方監視制御装置は、当該機器の動作応動情報を監視装置へ送信する。
６）監視制御装置は当該機器の応動表示が遠方監視制御から返送された後、次機器の選択操作に移る。
【０００５】
【発明が解決しようとする課題】
しかし、上記従来の選択制御方法には、次のような問題がある。
【０００６】
１）上記手順を１機器毎に実行するため、複数機器を操作する場合時間がかかる。
２）定型化された複数機器の「入り」又は「切り」制御でも、監視制御装置で毎回１機器ずつの選択制御操作が発生する。
３）制御方法が監視制御装置から選択コードを送出する方法であるため、単一機器毎でないと制御が実行できない。
４）遠方監視制御装置は、１機器ずつの機器選択しか受け付けない。
【０００７】
本発明は、従来のこのような問題点に鑑みてなされたものであり、その目的とするところは、制御操作が簡単で制御の時間を短縮できる監視制御装置における複数機器の蓄積制御方式を提供することにある。
【０００８】
【課題を解決するための手段】
本発明は、電力機器設備の監視を行う監視制御装置において制御卓のＣＲＴ画面より制御対象機器を選択し、選択コードを遠方監視制御装置に伝送し、遠方監視装置により制御を実行する集中型監視制御システムにおいて、監視制御装置に、ＣＲＴ画面上で制御対象機器を制御順に選択し、その選択コードを蓄積する被制御機器選択装置と、制御操作信号の入力により前記複数機器選択の蓄積コードを選択順に遠方監視装置に一括伝送する制御操作部を設けて蓄積コードを一括伝送し、遠方監視制御装置は、蓄積コードを受信し、複数機器選択の蓄積コードを理解し、単一機器の項目に分離し、一機器毎に自動で選択制御を実行する。
【０００９】
【発明の実施の形態】
本発明を図１について説明する。図中、１は情報処理装置（１１〜１５）と電力指令卓のＣＲＴとからなる集中型監視制御装置、２はＡ局２Ａ〜ｎ局２ｎからなる遠方監視制御装置、３は監視制御装置とＡ局〜ｎ局間の情報交換する伝送路で、これら１〜３によって集中監視制御装置（監視制御システム）が構成されている。
【００１０】
１１は蓄積制御開始宣言部、１２はメモリを有する被制御機器選択装置で、蓄積制御開始宣言があると、ＣＲＴ画面１２−１上から「入」又は「切」制御する制御対象機器である複数の遮断器ＣＢを制御順に全項目選択し、制御順番号と局番の付いた選択コードをメモリに蓄積する。１３は制御操作部で、「入」又は「切」スイッチ１３−１又は１３−２の操作により選択の蓄積コードを選択順に一括伝送する。１４は選択解除スイッチで、制御操作部１３による一括伝送の制御操作前に押すことで被制御機器選択装置１２、制御操作部１３の蓄積制御を解除する。１５は蓄積制御宣言部１１を制御するボタンスイッチで、蓄積制御開始で点灯し、Ａ局〜ｎ局からの応動又は不応動信号が全項目について返ってきた時点、又は選択解除スイッチ１４により選択解除された場合に消灯するようになっている。
【００１１】
Ａ局２Ａ〜ｎ局２ｎはそれぞれ一括伝送されてくる蓄積コードのうち自己宛の選択コードを受信し、蓄積選択項目であることを認識して複数機器の項目を単一機器項目に分解し、単一機器項目毎に制御コードを付加して受信した順番に選択制御を実行し、もし制御途中で不応動が発生した場合、その項目をパスして最後まで制御を行い、応動，不応動の情報を監視制御装置１のボタンスイッチ１５に返送するように構成されている。
【００１２】
この監視制御システムの蓄積制御動作を説明する。
蓄積制御開始宣言部１１が制御開始宣言すると、被制御機器選択装置１２はＣＲＴ画面１２−１上で制御対象機器である遮断器ＣＢを「切」又は「入」の順番○１〜○６に選択して選択コードをメモリに蓄積する。
【００１３】
次に、制御操作部１３はスイッチ１３−１又は１３−２の「入」又は「切」操作により上記蓄積された選択の蓄積コードで選択順○１〜○６に一括伝送する。
【００１４】
Ａ局２Ａ〜ｎ局２ｎは、それぞれ上記選択順に一括伝送されてくる蓄積コードのうちの自局宛の選択コードを受信して、受信した順番に制御コードを付して対象の遮断器ＣＢを制御する選択制御を実行する。即ち、この場合、Ａ局２Ａは○１，○３，○６の順番に選択制御を実行し、ｎ局２ｎ○２，○４，○５の順番に選択制御を実行する。
【００１５】
【発明の効果】
本発明は、上述のとおり構成されているので、次に記載する効果を奏する。
【００１６】
（１）一度に複数機器の選択機器の選択蓄積ができるので、複数機器の制御操作を一度で実現可能になり、操作が簡素化される。そのため、関連機器を一時に制御でき、制御の時間を短縮できる。
（２）遠方監視制御装置にて蓄積された順番に制御を実行することにより、順次制御ができる。
（３）遠方監視制御装置内で１番目の制御項目からｎ番目の制御項目までの選択制御を自動で行うことにより、制御間の時間ロスが無くなり、スピーディーな制御が可能となった。
【図面の簡単な説明】
【図１】監視制御装置における複数機器選択制御フロー図。
【符号の説明】
１…監視制御装置
２…遠方監視制御装置
２Ａ〜２ｎ…遠方監視制御装置の各局
３…伝送路
１１…蓄積制御開始宣言部
１２…被制御機器選択装置
１２−１…ＣＲＴ画面
１３…制御操作部
１３−１，１３−２…「入」，「切」スイッチ
１４…選択解除スイッチ
１５…ボタンスイッチ
【図１】
0003572837.tif 000002